(57)【要約】【課題】構成強度が良好で軽い書類ファイルを提供する。【解決手段】書類ファイル１０は、内層体２０と、外層体３０と、ミッドプレート４０とを有する。ミッドプレート４０は、内層体２０と外層体３０との間に挟まれ、頂面と、底面と、前記頂面および前記底面に接続される複数の弧状支持リブ４５とを有する。ミッドプレート４０は長方形状の左板体４２、右板体４４および中間板体４６から構成される。左板体４２および右板体４４の弧状支持リブ４５は互いに平行するように左から右へ横方向に延びて設けられている。中間板体４６の弧状支持リブ４５は互いに平行するように上から下へ縦方向に延びて設けられている。【選択図】  図１
0003164691.tif 000002
【実用新案登録請求の範囲】
【請求項１】
内層体と、
外層体と、
前記内層体と前記外層体との間に挟まれ、頂面と、底面と、前記頂面および前記底面に接続される複数の弧状支持リブとを有するミッドプレートと、
を備えることを特徴とする書類ファイル。
【請求項２】
前記ミッドプレートの前記弧状支持リブは、左から右へ横方向に延びて設けられることを特徴とする請求項１に記載の書類ファイル。
【請求項３】
前記ミッドプレートの前記弧状支持リブは、上から下へ縦方向に延びて設けられることを特徴とする請求項１に記載の書類ファイル。
【請求項４】
前記内層体および前記外層体は、それぞれ左翼部と、右翼部と、前記左翼部および前記右翼部に接続される中間部とを有し、
前記ミッドプレートは左板体、右板体および中間板体を有し、
前記左板体は前記内層体および前記外層体の前記左翼部の間に挟まれ、前記右板体は前記内層体および前記外層体の前記右翼部の間に挟まれ、前記中間板体は前記内層体および前記外層体の前記中間部の間に挟まれ、
前記左板体および前記右板体の前記弧状支持リブは左から右へ横方向に延びて設けられ、前記中間板体の前記弧状支持リブは上から下へ縦方向に延びて設けられることを特徴とする請求項１に記載の書類ファイル。
【請求項５】
前記内層体および前記外層体は、それぞれ左翼部と、右翼部と、前記左翼部および前記右翼部に接続される中間部とを有し、
前記ミッドプレートは左板体、右板体および中間板体を有し、
前記左板体は前記内層体および前記外層体の前記左翼部の間に挟まれ、前記右板体は前記内層体および前記外層体の前記右翼部の間に挟まれ、前記中間板体は前記内層体および前記外層体の前記中間部の間に挟まれ、
前記左板体、前記右板体および前記中間板体の前記弧状支持リブは、上から下へ縦方向に延びて設けられることを特徴とする請求項１に記載の書類ファイル。
【請求項６】
前記ミッドプレートの厚さは１．５ｍｍから３．５ｍｍの間であり、前記弧状支持リブ間の間隔は１．５ｍｍから３．５ｍｍの間であり、前記ミッドプレートの厚さと前記弧状支持リブ間の間隔の比は０．８またはそれ以上であることを特徴とする請求項１から請求項５のいずれか一つに記載の書類ファイル。
【請求項７】
前記内層体、前記外層体および前記ミッドプレートの材質は、ポリプロピレンまたはポリエチレンであることを特徴とする請求項６に記載の書類ファイル。
【考案の詳細な説明】
【技術分野】
【０００１】
本考案は、書類ファイルに関する。
【背景技術】
【０００２】
種類が多様な書類ファイルの中では、単なるカードボードまたはブラスチック板から構成される書類ファイルは、構成強度および耐用性がよくない。そこで、書類ファイルの構成強度および使用性を高めるために、層状構成の書類ファイルが考案された。層状構成の書類ファイルは、外皮、内皮および外皮と内皮との間に固着した隔離板を有する。隔離板は厚いカードボード、発泡材（例えば台湾実用新案Ｍ２５４３５２号公告）またはプラスチック板を採用することが一般的である。ここで、厚いカードボードは書類ファイルの構成強度を高めるが、重く、湾曲変形しやすく、吸湿しやすいという問題を抱える。一方、発泡材は、軽いが、構成強度が足りないという問題を抱える。また、プラスチック板は、構成強度が良好で吸湿しないが、重いという問題を抱える。また、外皮、内皮および隔離板の材質が異なるため、回収するには予め解体する必要があり、回収に不便である。
【先行技術文献】
【特許文献】
【０００３】
【特許文献１】台湾実用新案Ｍ２５４３５２号公告明細書
【考案の概要】
【考案が解決しようとする課題】
【０００４】
本考案の主な目的は、構成強度が良好で軽い書類ファイルを提供することにある。
また、本考案のもう一つの目的は、リサイクルの便をはかることを可能にする書類ファイルを提供することにある。
【課題を解決するための手段】
【０００５】
上述の目的を達成するために、本考案による書類ファイルは、外層体、内層体および内層体と外層体との間に包まれるミッドプレートを備える。ミッドプレートは頂面と、底面と、頂面および底面に接続される複数の弧状支持リブとを有するため、複数の中空溝が形成される。本考案による書類ファイルにおいて、ミッドプレートは複数の中空構成の弧状支持リブを有し、弧状支持リブは非直線状かつ弧状に分布するため、軽く、構成強度が良好である。
【０００６】
本考案による書類ファイルにおいて、ミッドプレートの弧状支持リブは左から右へ横方向に延びて設けられるか、上から下へ縦方向に延びて設けられてもよい。
【０００７】
本考案の第１態様による書類ファイルにおいて、内層体および外層体はそれぞれ左翼部と、右翼部と、左翼部および右翼部に接続される中間部とを有する。ミッドプレートは内層体および外層体の左翼部の間に挟まれる左板体と、内層体および外層体の右翼部の間に挟まれる右板体と、内層体および外層体の中間部の間に挟まれる中間板体とを有する。左板体および右板体の弧状支持リブは、左から右へ横方向に延びて設けられ、中間板体の弧状支持リブは上から下へ縦方向に延びて設けられる。
【０００８】
弧状支持リブの延びる方向は上述に限らない。本考案の第２態様による書類ファイルにおいて、左板体、右板体および中間板体の弧状支持リブは上から下へ縦方向に延伸されることで同様に良好な構成強度を提供することが可能である。
【０００９】
本考案による書類ファイルにおいて、ミッドプレートの頂面と底面との間の距離が１．５ｍｍから３．５ｍｍの間であれば比較的好ましい。特に２．５ｍｍから３．５ｍｍの間が最も好ましい。弧状支持リブ間の間隔が１．５ｍｍから３．５ｍｍの間であれば比較的好ましい。特に２．５ｍｍから３．５ｍｍの間が最も好ましい。ミッドプレートの頂面と底面との間の間隔および弧状支持リブ間の間隔の比が０．８またはそれ以上であれば比較的好ましい。特に１またはそれ以上が最も好ましい。従って、ミッドプレートは頂面および底面に垂直の力に対し比較的良好な抵抗力を生じるため、湾曲が発生しにくい。
【００１０】
上述のように本考案のもう一つの目的は、リサイクルの便をはかることを可能にする書類ファイルを提供することである。
この目的を達成するために、本考案による書類ファイルにおいて、内層体、外層体およびミッドプレートの材質は、ポリプロピレン(ｐｏｌｙｐｒｏｐｙｌｅｎｅ、ＰＰ)またはポリエチレン（ｐｏｌｙｅｔｈｙｌｅｎｅ、ＰＥ）である。従って、本考案による書類ファイルはリサイクルを完全に実現させることが可能なだけでなく、材質が異なる内層体、外層体およびミッドプレートを回収する際に予め分解する必要があるという従来の書類ファイルの欠点を改善することが可能である。
【００１１】
このように、本考案は詳しくは軽く構成強度が良好な書類ファイルに関するものであり、本考案による書類ファイルの詳細な構成および特徴は、以下の実施形態および図面に基づいて、本考案領域についての知識を有する人ならば本考案の実施形態を簡単に実施できる範囲内で説明を進める。
【図面の簡単な説明】
【００１２】
【図１】本考案の第１実施形態による書類ファイルにおいて、内層体は一部分が持ち上がり、別の一部分が切断された状態を示す斜視図である。
【図２】本考案の第１実施形態による書類ファイルの一部分を拡大して示す斜視図である。
【図３】本考案の第１実施形態による書類ファイルにおいて、ミッドプレートの頂面と底面との間の間隔および支持リブ間の間隔の関係を示す模式図である。
【図４】本考案の第２実施形態による書類ファイルにおいて、内層体は一部分が持ち上がり、別の一部分が切断された状態を示す斜視図である。
【考案を実施するための形態】
【００１３】
以下、本考案による書類ファイルを図面に基づいて説明する。以下の実施形態のうちの同じ符号は部品または構成特徴が同じであるか類似したことを表示する。
【００１４】
（第１実施形態）
図１に示すように、本考案の第１実施形態による書類ファイル１０は、内層体２０、外層体３０およびミッドプレート４０を備える。
【００１５】
内層体２０および外層体３０は、ポリプロピレン(ＰＰ)またはポリエチレン（ＰＥ）から構成され、それぞれ左翼部２１、３１と、右翼部２３、３３と、左翼部２１、３１および右翼部２３、３３に接続される中間部２５、３５とを有する。中間部２５、３５はそれぞれ左右両側に左翼部２１、３１に接続される左折り目２５１、３５１と、右翼部２３、３３に接続される右折り目２５３、３５３とを有する。左翼部２１、３１は左折り目２５１、３５１を軸心に右に湾曲することが可能である。右翼部２３、３３は右折り目２５３、３５３を軸心に左に湾曲することが可能である。
【００１６】
製造する際、熱圧着方式によって内層体２０および外層体３０の周りを接合することが可能であるが、接合方式は熱圧着に限らない。続いてミッドプレート４０を外部に露出させないように内部に包み、そして熱圧着方式によって内層体２０の左折り目２５１および外層体３０の左折り目３５１を接合し、内層体２０の右折り目２５３および外層体３０の左折り目３５３を接合すれば、書類ファイル１０の左折り目１１および右折り目１３が形成される。
【００１７】
ミッドプレート４０は、押し出しによって成形された半透明板材であり、その材質は内層体２０および外層体３０の材質と同じである。図２に示すように、ミッドプレート４０は頂面４１と、底面４３と、頂面４１および底面４３に接続される複数の弧状支持リブ４５を有する。本実施形態において、図１に示すように、ミッドプレート４０は長方形状の左板体４２、右板体４４および中間板体４６から構成される。左板体４２および右板体４４の弧状支持リブ４５は互いに平行するように左から右へ横方向に延びて設けられている。中間板体４６の弧状支持リブ４５は互いに平行するように上から下へ縦方向に延びて設けられている。
【００１８】
図３に示すように、ミッドプレート４０の頂面４１と底面４３との間の距離、即ちミッドプレート４０の厚さＴが１．５ｍｍから３．５ｍｍの間であれば比較的好ましい。特に２．５ｍｍから３．５ｍｍの間が最も好ましい。弧状支持リブ４５間の間隔Ｐが１．５ｍｍから３．５ｍｍの間であれば比較的好ましい。特に２．５ｍｍから３．５ｍｍの間が最も好ましい。厚さＴと間隔Ｐの比、即ちＴ／Ｐが０．８またはそれ以上であれば比較的好ましい。Ｔ／Ｐは１またはそれ以上が最も好ましい。従って、ミッドプレート４０は厚さの方向によって良好な支持力を生じ、かつ二つの弧状支持リブ間の間隔が大き過ぎることが原因でミッドプレートが湾曲変形しやすいという現象を避けることが可能である。
【００１９】
製造する際に、左板体４２は内層体２０の左翼部２１および外層体３０の左翼部３１の間に完全に包まれる。右板体４４は内層体２０の右翼部２３および外層体３０の右翼部３３の間に完全に包まれる。中間板体４６は内層体２０の中間部２５および外層体３０の中間部３５の間に完全に包まれる。
【００２０】
書類ファイルを使用する際、ユーザーの不適切な扱い方により書類ファイルの左翼部および右翼部に圧力を掛けてしまう場合がよくある。本実施形態は、左板体４２および右板体４４の弧状支持リブ４５が横方向に湾曲するように延びて設けられるため、書類ファイル全体に構成を支持する良好な力を提供し、ユーザーの不適切な扱い方に対応することが可能である。
【００２１】
さらに、本実施形態は、従来の書類ファイルのようにユーザーの不適切な扱い方が原因で左翼部および右翼部に上から下（即ち縦方向）に伸びる直線の折り痕が生じるという現象を避けることが可能である。言い換えれば、本実施形態による書類ファイル１０は、比較的良好な構成強度を有するため、書類ファイル１０を頻繁に開く動作かユーザーの不適切な扱い方により左板体４２および右板体４４を強引に湾曲させてしまうという現象が発生しにくい。ミッドプレート４０は複数の中空溝の中空構成を有するため、軽い。中間板体４６は弧状支持リブ４５が非直線かつ弧状となるように縦方向に延びて設けられるため、書類ファイルを強引に湾曲させてしまうという状況を減少させることが可能である。
【００２２】
（第２実施形態）
本実施形態において、ミッドプレートの弧状支持リブの延びる方向は上述に限らない。例えば図4に示すように、本考案の第２実施形態による書類ファイル１０は、同様に内層体２０、外層体３０およびミッドプレート４０を備える。本実施形態において、左板体４２、右板体４４および中間板体４６の弧状支持リブ４５は上から下へ縦方向に延びて設けられることで同様に本考案の目的を達成することが可能である。
【００２３】
上述した通り、本考案による書類ファイルにおいて、ミッドプレートは複数の中空溝の中空構成を有し、中空溝を構成する複数の弧状支持リブは非直線かつ弧状に延びて設けられるため、書類ファイルの構成強度を確実に向上させ、軽量を実現させることが可能である。内層体、外層体およびミッドプレートは、同じ材質（例えばポリプロピレンまたはポリエチレン）から構成されるため、本考案による書類ファイルはリサイクルを完全に実現させることが可能である。
【符号の説明】
【００２４】
１０：書類ファイル、  １１：左折り目、  １３：右折り目、  ２０：内層体、  ３０：外層体、  ２１：左翼部、  ２３：右翼部、  ２５：中間部、  ２５１：左折り目、  ２５３：右折り目、３１：左翼部、  ３３：右翼部、  ３５：中間部、  ３５１：左折り目、  ３５３：右折り目、４０：ミッドプレート、  ４１：頂面、  ４２：左側板体、  ４３：底面、  ４４：右側板体、  ４５：弧状支持リブ、  ４６：中間板体、  Ｐ：間隔、  Ｔ：厚さ
【図１】
0003164691.tif 000003
【図２】
0003164691.tif 000004
【図３】
0003164691.tif 000005
【図４】
0003164691.tif 000006